【事件の表示】
　平成６年特許願第５１９７４８号「ホスホジエステラーゼ阻害剤としての三置換フェニル誘導体およびそれらの製造方法」拒絶査定不服審判事件〔平成６年９月１５日国際公開、ＷＯ９４／２０４４６、平成８年６月４日国内公表、特表平８−５０５１５８〕について、次のとおり審決する。
【結　論】
　本件審判の請求は、成り立たない。
【理　由】
　第１　手続の経緯
　この出願は、平成６年３月９日（パリ条約による優先権主張１９９３年３月１０日、イギリス国）の特許出願であって、以降の手続の経緯は以下のとおりのものである。
　
　平成１６年５月２５日付け　拒絶理由通知
　平成１６年１２月１日　　　意見書・手続補正書
　平成１９年６月２２日付け　拒絶査定
　平成１９年１０月１日　　　審判請求
　平成２０年２月１４日　　　手続補正書（審判請求理由補充書）
　
第２　本願発明について
１　本願発明
　この出願の発明は、平成１６年１２月１日付けでした手続補正により補正された明細書の記載からみて、その特許請求の範囲の請求項１〜２１に記載された事項により特定される下記のものである。（以下、順に、「本願発明１」〜「本願発明２１」という。）
「１．式（１）
　
［式中、
Ｙはハロゲン原子または−ＯＲ１基（式中、Ｒ１は随意に置換されたアルキル基である）であり、
Ｘは−Ｏ−、−Ｓ−または−Ｎ（Ｒ７）−（式中、Ｒ７が水素原子またはアルキル基である）であり、
Ｒ２は随意に置換されたシクロアルキルまたはシクロアルケニル基であり、
同一の基または相異なる基であり得るＲ３およびＲ４の各々は、水素原子、随意に置換されたアルキル基、−ＣＮ、−ＣＨ２ＣＮ、−ＣＯ２Ｒ８、−ＣＯＮＲ９Ｒ１０および−ＣＳＮＲ９Ｒ１０基（ここでＲ８、Ｒ９およびＲ１０は各々独立して水素原子または随意に置換されたアルキル、アリールまたはアラルキル基である）から選択され、
Ｚは−（ＣＨ２）−（式中、ｎは０または１、２または３の整数である）であり、
Ｒ５は酸素原子、硫黄原子および窒素原子の中から選ばれた１個以上のヘテロ原子を随意に含有する随意に置換された単環式または二環式アリールである］
によって表される、３−｛２−［３−（シクロペンチルオキシ）−４−メトキシフェニル］エチル｝安息香酸メチルおよび３−｛２−［３−（シクロペンチルオキシ）−４−メトキシフェニル］エチル｝安息香酸を除く、選択的ＰＤＥＩＶ阻害活性を有する化合物並びにその塩、溶媒和物、水和物、プロドラッグ、およびＮ−オキシド。
２．Ｙが−ＯＲ１基である請求の範囲第１項記載の化合物。
３．Ｒ１が随意に置換された直鎖状または枝分かれ鎖状のＣ１−３アルキル基である請求の範囲第２項記載の化合物。
４．Ｒ１がメチル基である請求の範囲第３項記載の化合物。
５．Ｘが−Ｏ−である請求の範囲第１〜４項のいずれかに記載の化合物。
６．Ｒ２がシクロペンチル基である請求の範囲第１〜５項のいずれか１項に記載の化合物。
７．Ｚが−（ＣＨ２）ｎ−基（式中、ｎは０あるいは１または２の整数である）である請求の範囲第１〜６項のいずれか１項に記載の化合物。
８．ｎがゼロである請求の範囲第７項記載の化合物。
９．Ｒ３が水素原子またはメチル基である請求の範囲第１〜８項のいずれかに１項に記載の化合物。
１０．Ｒ３が水素原子である請求の範囲第９項記載の化合物。
１１．Ｒ４が水素原子または随意に置換されたアルキル基または−ＣＮ基である請求の範囲第１〜１０項のいずれか１項に記載の化合物。
１２．Ｒ４が水素原子または−ＣＮ基である請求の範囲第１１項記載の化合物。
１３．Ｒ５が−Ｏ−、−Ｓ−および−Ｎ−原子中から選ばれた１個、２個または３個のヘテロ原子を含有する随意に置換されたＣ６−１２アリール基、または随意に置換されたＣ３−９ヘテロアリール基である請求の範囲第１〜１２項のいずれか１項に記載の化合物。
１４．Ｒ５が随意に置換されたフェニル基、ピリジル基またはピリミジニル基である請求の範囲第１３項記載の化合物。
１５．Ｒ５がフェニル基、２−または３−一置換フェニル基、あるいは２，６−二置換フェニル基である請求の範囲第１４項記載の化合物。
１６．Ｒ５が２−、３−または４−ピリジル基あるいは３，５−二置換または３−一置換−４−ピリジル基である請求の範囲第１４項記載の化合物。
１７．Ｒ１１が原子またはＲ１２基または−Ａｌｋ１（Ｒ１２）ｍ基［式中、Ｒ１２はハロゲン原子、またはアミノ基（−ＮＨ２）、置換アミノ基、ニトロ基、シアノ基、ヒドロキシル基（−ＯＨ）、置換されたヒドロキシル基、シクロアルコキシ基、ホルミル基［ＨＣ（Ｏ）−］、カルボキシル基（−ＣＯ２Ｈ）、エステル化カルボキシル基、チオール基（−ＳＨ）、置換されたチオール基、−Ｃ（Ｏ）Ｒ８ａ基、−ＳＯ３Ｈ基、−ＳＯ２Ｒ８ａ基、−Ｎ（ＳＯ２Ｎ（Ｒ８ａ）（Ｒ９ａ）基、−ＣＯＮ（Ｒ８ａ）（Ｒ９ａ）基、−ＮＨＳＯ２Ｒ８ａ基、−Ｎ（ＳＯ２Ｒ８ａ）２基、−ＮＨＳＯ２Ｎ（Ｒ８ａ）（Ｒ９ａ）基、−ＮＨＣ（Ｏ）Ｒ８ａ基、または−ＮＨＣ（Ｏ）ＯＲ８ａ基（式中、Ｒ８ａおよびＲ９ａは各々独立して水素原子ならびに随意に置換されたアルキル、アラルキルまたはアリール基から選択される）であり、Ａｌｋ１は１個、２個または３個の−Ｏ−原子、−Ｓ−原子、−Ｓ（Ｏ）ｐ−基または−Ｎ（Ｒ７）−基（式中、ｐは１または２の整数であり、Ｒ７は水素原子または随意に置換されたアルキル基である）によって随意に中断されたＣ２−６アルキニレン基であり、そしてｍは０または１、２または３の整数である］である場合において、前記アリール基またはヘテロアリール基が１個以上の置換基Ｒ１１によって置換されている、請求の範囲第１３〜１５項のいずれか１項に記載の化合物。
１８．Ｒ１１が、ハロゲン原子、ニトロ基、アミノ基、アルコキシ基、ハロアルキル基、ヒドロキシ基、−ＮＨＣＯＲ８ａ基、−ＮＨＣＯＮＨＲ８ａまたは−ＮＨＳＯ２Ｒ８ａ基である請求の範囲第１７項記載の化合物。
１９．４−［２−（３−シクロペンチルオキシ−４−メトキシフェニル）エチル］ピリジン、
（±）−３−（３−シクロペンチルオキシ−４−メトキシフェニル）−２−（４−ピリジル）プロパンニトリル、
３−ベンズアミド−４−［２−（３−シクロペンチルオキシ−４−メトキシフェニル）エチル］ピリジン、
Ｎ−｛４−［２−（３−シクロペンチルオキシ−４−メトキシフェニル）エチル］−３ピリジル｝フェニルスルホンアミド、
４−［２−（３−シクロペンチルオキシ−４−メトキシフェニル）エチル］−３，５ジクロロピリジン、
４−［２−（３−シクロペンチルオキシ−４−メトキシフェニル）エチル］−３−イソブチルアミドピリジン、または
３−（３−ベンジルウレイド）−４−［２−（３−シクロペンチルオキシ−４−メトキシフェニル）エチル］−ピリジン
である請求の範囲第１項記載の化合物およびその塩、溶媒和物、水和物およびＮ−オキシド。
２０．３−｛２−［３−（シクロペンチルオキシ）−４−メトキシフェニル］エチル｝安息香酸メチルおよび３−｛２−［３−（シクロペンチルオキシ）−４−メトキシフェニル］エチル｝安息香酸を除く請求の範囲第１項で規定された式（１）の化合物ならびにその塩、溶媒和物、水和物、プロドラッグおよびＮ−オキシドと、１種以上の薬理学的に許容される担体、賦形剤または希釈剤とから成ることを特徴とする、選択的ＰＤＥＩＶ阻害活性を有する医薬品組成物。
２１．請求の範囲第１項に規定した化学式（１）の化合物並びにその塩、溶媒和物、水和物、プロドラッグ、およびＮ−オキシドの製造方法において、
　ａ）式（３）
　
［式中、Ｙ、Ｘ、Ｒ２，Ｒ３，Ｒ４，ＺおよびＲ５は請求の範囲第１項に規定した通りである］によって表される化合物を水素化する工程、
ｂ）式（７）：
　
［式中、Ｙ、Ｘ、Ｒ３，Ｒ４，ＺおよびＲ５は請求の範囲第１項に規定した通りである］によって表される化合物をハロゲン化物Ｒ２Ｈａｌ、またはアルコールＲ２ＯＨ［式中、Ｒ２は請求の範囲第１項に規定された通りであり、Ｈａｌはハロゲン原子である］でアルキル化する工程、
ｃ）式（１）の化合物の相互転換によって式（１）の別の化合物を得る工程
を最終工程として含むことを特徴とする方法。」
　
第３　原査定の拒絶の理由の概要
　本願発明についての原査定の拒絶の理由の概要は、「この出願の請求項１〜２１に係る発明は、その出願の日前の特許出願であって、その出願後に出願公開された下記の特許出願の願書に最初に添付された明細書または図面に記載された発明と同一であり、しかも、この出願の発明者がその出願前の特許出願に係る上記の発明をした者と同一ではなく、またこの出願の時において、その出願人が上記特許出願の出願人と同一でもないので、特許法第２９条の２の規定により特許を受けることができない。」というものである。
　　　　　　　　　　　　　　記
　特願平６−５１３１２９号（特表平８−５０１３１８号）（原査定における先願２。以下、「先願」という。）
　
第４　先願の願書に最初に添付した明細書に記載された事項
ａ「１．一般式（Ｉ）
　
の化合物、当該化合物のラセミ−ジアステレオマー混合物および光学異性体ならびに薬学的に許容されるそれらの塩（ここで、Ｒ１は、メチル、エチル、ジフルオロメチルおよびトリフルオロメチルから成る群から選ばれ；
Ｒ２は、…（中略）…、（Ｃ３−Ｃ７）シクロアルキル、…（中略）…から成る群から選ばれ、ここで、当該…（中略）…シクロアルキル…（中略）…のアルキル部分は、任意に、１個以上のフッ素原子、−ＯＨまたは（Ｃ１−Ｃ４）アルコキシで置換されてもよく、…（中略）…；
ＡおよびＢは、独立に、共有結合、任意に置換される（Ｃ１−Ｃ５）アルキレン、任意に置換される（Ｃ２−Ｃ５）アルケニルおよび任意に置換されるフェニレンから成る群から選ばれ、
…（中略）…
　当該任意に置換されるアルケニルは、（Ｃ１−Ｃ４）アルコシキ、ＣＯ２Ｒ６で一置換されていてもよく、
　…（中略）…
Ｙは、共有結合、Ｏ、ＮＲ６およびＳから成る群から選ばれ、ここで、Ｒ６は、上記で定義した通りであり；
Ｚは、下記から成る群から選ばれる
　
　
　
　
　
（ここで、Ｑ１，Ｑ２，Ｑ３およびＱ４は、独立に、Ｎ、ＣＨであるか又は、Ｂに結合している場合、Ｃであり、但し、Ｑ１，Ｑ２，Ｑ３およびＱ４の内少なくとも２個はＮではなく；
Ｘは、Ｏ、ＮＲ４およびＳから成る群から選ばれ；
Ｘ１、Ｘ２、Ｘ３およびＸ４は、独立に、Ｏ、ＮＲ４、Ｓ、Ｃ＝Ｏ、ＣＨ２から成る群から選ばれるが、Ｂに結合している場合はＣＨであり；
ｂは、１から２の整数であり；
ｅは、１から３の整数であり；
ｇは、１から４の整数であり；
ｊは、１から５の整数であり；
ｍは、１から７の整数であり；
各Ｒ３は、独立に、水素、ハロゲン、（Ｃ１−Ｃ６）アルキル、ＣＨ（Ｒ７）ＣＯ２Ｒ４、（Ｃ１−Ｃ６）アルコキシ、ＣＯ２Ｒ４、ＣＯＮＲ４Ｒ５、ＣＯＮＨＯＨ、ＣＨ２ＮＲ４Ｒ５、ＮＲ４Ｒ５、ニトロ、ヒドロキシ、ＣＮ、ＳＯ３Ｈ、アルキル部分に１個から４個の炭素を有するフェニルアルキル、ＳＯ２ＮＲ４Ｒ５、Ｎ（ＳＯ２Ｒ８）２およびＮＨＳＯ２Ｒ８から成る群から選ばれ、
ここで、各Ｒ４は独立に、水素、（Ｃ１−Ｃ６）アルキル、（Ｃ１−Ｃ４）アルキル、またはハロゲンで任意置換されるフェニル、ＣＨ（Ｒ７）ＣＯ２Ｒ６、（Ｃ３−Ｃ７）シクロアルキル、アルキル部分に１個から４個の炭素を有するフェニルアルキルおよび、ジアルキルアミノ部分に計５個の炭素を有しアルキル部分に２個から５個の炭素を有するジアルキルアミノアルキルから成る群から選ばれ、ここで、Ｒ６は、上記で定義した通りであり、
各Ｒ５は、独立に、水素、（Ｃ１−Ｃ６）アルキル、（Ｃ３−Ｃ７）シクロアルキル、アルキル部分に１個から４個の炭素を有するフェニルアルキル、フェニル、ピリジル、チアソリルおよびオキサゾリルから成る群から選ばれるか又は
Ｒ４およびＲ５は、それらが結合している窒素と共に、任意に置換された飽和もしくは未飽和の５−もしくは６−員環、２個のヘテロ原子を含有する飽和もしくは未飽和の６−員環複素式環、またはフルオロで任意に置換されたキノリン環を形成し、
ここで、当該任意に置換された飽和もしくは未飽和の５−もしくは６−員環は、一−または二−置換されてもよく、各置換基は、独立に、１個から４個の炭素を有するアルキル、Ｒ７が下記で定義する通りであるＣＯ２Ｒ７、ＣＯＮＨ２、ＣＯＮ（ＣＨ３）２、オキソ、ヒドロキシ、ＮＨ２、およびＮ（ＣＨ３）２から成る群から選ばれ、２個のヘテロ原子を含有する、当該飽和もしくは未飽和の６−員複素環式環は、Ｏ、Ｓ、ＮＨ、ＮＣＨ３、ＮＣＯＣＨ３およびＮＣＨ２Ｐｈから成る群から選ばれる第二ヘテロ原子を有し；
各Ｒ７は、独立に、水素および（Ｃ１−Ｃ４）アルキルから成る群から選ばれ；
およびＲ８は、（Ｃ１−Ｃ６）アルキル、（Ｃ３−Ｃ７）シクロアルキル、フェニルおよび、アルキル部分に１個から４個の炭素を有するフェニルアルキルから成る群から選ばれ；
但し、
Ｒ１がメチルまたはエチルであり、Ｒ２が（Ｃ３−Ｃ７）ポリシクロアルキルまたはインダニルであり、Ａ、ＢおよびＹが共有結合であり、ＸがＮであり、Ｒ３が水素である場合、Ｚは、
　
ではなく、
但し、
Ｒ１がメチルまたはエチルであり、Ｒ２が（Ｃ７−Ｃ９）ポリシクロアルキルまたはインダニルであり、Ａ、ＢおよびＹが共有結合であり、Ｑ１、Ｑ２、Ｑ３及びＱ４が、ＣＨであるか又は、Ｂに結合している場合Ｃであり、Ｒ３が水素である場合、Ｚは、
　
ではない））。」（【特許請求の範囲】）
　
ｂ「９．一定量の請求項１に記載の化合物または薬学的に許容されるその塩および薬学的に許容される希釈剤または担体から成ることを特徴とする医薬組成物。」（【特許請求の範囲】）
　
ｃ「本発明は、ホスホジエステラーゼ（ＰＤＥ）ＩＶ型の選択的阻害剤であり、それ自体、エイズ、喘息、関節炎、気管支炎、慢性閉塞性気道疾患、乾せん、アレルギー性鼻炎、皮膚炎およびおよびその他の炎症性疾患の治療に有用である一連の４−置換カテコールジエーテル化合物に関する。」（第１４頁第４行〜第７行）
　
ｄ「ヒトへの用途には、一般式（Ｉ）の化合物は単独で投与することができるが、通常、意図する投与経路および標準製薬慣習に関して選ばれる製薬希釈剤または担体と混合して投与する。たとえば、これらは、デンプンまたは乳糖のような医薬品添加物を含有する錠剤または、単独もしくは医薬品添加物との混合のいずれかのカプセル剤もしくは卵形剤の形態で、または着香剤もしくは着色剤を含有するエリキシル剤もしくは懸濁剤の形態で経口的に投与することができる。」（第４１頁第１行〜第６行）
　
ｅ「実施例７と同様の手法を用い、適切なアルケニルアリールメチルエステルの反応により、以下の化合物を得た。　
　
　
」（実施例８）
ｆ「実施例１１と同様の手法を用い、適切なメチルエステルの反応により、以下の化合物を得た。
　
　
」（実施例１２）
　
第５　当審の判断
１　本願発明１について
（１）先願の願書に最初に添付した明細書に記載された発明
　先願の願書に最初に添付した明細書（以下、「先願明細書」という。）には、一般式（Ｉ）で表される化合物が記載されており（摘記ａ）、具体的には、「３−［２−［３−（シクロペンチロキシ）−４−メトキシフエニル］エチル］安息香酸（摘記ｅ）又は３−［２−［３−（シクロペンチロキシ）−４−メトキシフェニル］エチル］安息香酸メチル」が記載されている（摘記ｆ）。
　また、先願明細書には、一般式（Ｉ）で表される化合物がホスホジエステラーゼ（ＰＤＥ）ＩＶ型の選択的阻害活性を有することが記載されている（摘記ｃ）ことから、その一般式（Ｉ）に含まれる上記「３−［２−［３−（シクロペンチロキシ）−４−メトキシフエニル］エチル］安息香酸」及び「３−［２−［３−（シクロペンチロキシ）−４−メトキシフェニル］エチル］安息香酸メチル」はホスホジエステラーゼ（ＰＤＥ）ＩＶ型の選択的阻害活性を有すると認められる。
　そして、化合物に関する発明について、特許法第２９条の２にいう「願書に最初に添付した明細書…に記載された発明」というためには、具体例による裏付けは必要不可欠であるとしても、具体例により裏付けられた化合物のみが「願書に最初に添付した明細書…に記載された発明」であると限定的に解釈するのは適当ではなく、少なくとも、具体例により裏付けられた化合物の置換基の一部が、当該発明の機能に及ぼす影響が少ないようにごく僅かだけ改変された化合物についても、記載されているに等しいとして、特許法第２９条の２にいう「願書に最初に添付した明細書…に記載された発明」であると認めるのが相当である。
　以上の点を勘案すれば、先願明細書には、具体例により裏付けられた化合物であって、ホスホジエステラーゼ（ＰＤＥ）ＩＶ型の選択的阻害活性を有すると認められる、「３−［２−［３−（シクロペンチロキシ）−４−メトキシフエニル］エチル］安息香酸」及び「３−［２−［３−（シクロペンチロキシ）−４−メトキシフェニル］エチル］安息香酸メチル」の置換基の一部が、上記活性に及ぼす影響が少ないようにごく僅かだけ改変された化合物である、例えば、上記化合物「３−［２−［３−（シクロペンチロキシ）−４−メトキシフェニル］エチル］安息香酸メチル」の安息香酸に置換しているメチル基をエチル基とした化合物である「３−｛２−［３−（シクロペンチルオキシ）−４−メトキシフェニル］エチル｝安息香酸
エチル
エトキシ
エトキシ
４
４
　よって、先願明細書には、
「３−｛２−［３−（シクロペンチルオキシ）−４−メトキシフェニル］エチル｝安息香酸エチルであるホスホジエステラーゼ（ＰＤＥ）ＩＶ型の選択的阻害活性を有する化合物」
の発明（以下、「先願発明１」という。）、
「３−｛２−［３−（シクロペンチルオキシ）−４−エトキシフェニル］エチル｝安息香酸であるホスホジエステラーゼ（ＰＤＥ）ＩＶ型の選択的阻害活性を有する化合物」
の発明（以下、「先願発明２」という。）、
「３−｛２−［３−（シクロペンチルオキシ）−４−エトキシフェニル］エチル｝安息香酸メチルであるホスホジエステラーゼ（ＰＤＥ）ＩＶ型の選択的阻害活性を有する化合物」
の発明（以下、「先願発明３」という。）、
「４−｛２−［３−（シクロペンチルオキシ）−４−メトキシフェニル］エチル｝安息香酸であるホスホジエステラーゼ（ＰＤＥ）ＩＶ型の選択的阻害活性を有する化合物」
の発明（以下、「先願発明４」という。）、
「４−｛２−［３−（シクロペンチルオキシ）−４−メトキシフェニル］エチル｝安息香酸メチルであるホスホジエステラーゼ（ＰＤＥ）ＩＶ型の選択的阻害活性を有する化合物」
の発明（以下、「先願発明５」という。）、
が記載されていると認められる。
　
（２）対比・判断
【先願発明１について】
　本願発明１と先願発明１とを対比すると、先願発明１の「３−｛２−［３−（シクロペンチルオキシ）−４−メトキシフェニル］エチル｝安息香酸エチルである化合物」は、本願発明１の「化学式（１）
　
［この化学式において
ＹはＲ１がメチル基である−ＯＲ１であり、
Ｘは−Ｏ−であり、
Ｒ２はシクロペンチル基（シクロアルキル基の１種）であり、
Ｒ３とＲ４はそれぞれ水素原子であり、
Ｚはｎがゼロである−（ＣＨ２）ｎ−であり、
Ｒ５は安息香酸エチル（随意に置換された単環式アリール基の１種）である化合物」に相当し、本願発明１の「選択的ＰＤＥＩＶ阻害活性」と先願発明１の「ホスホジエステラーゼ（ＰＤＥ）ＩＶ型の選択的阻害活性」は、共にホスホジエステラーゼ（ＰＤＥ）ＩＶ型を選択的に阻害する活性を意味するものであるから、本願発明１は先願発明１と同一である。
【先願発明２について】
　本願発明１と先願発明２とを対比すると、先願発明２の「３−｛２−［３−（シクロペンチルオキシ）−４−エトキシフェニル］エチル｝安息香酸である化合物」は、本願発明１の「化学式（１）
　
［この化学式において
ＹはＲ１がエチル基である−ＯＲ１であり、
Ｘは−Ｏ−であり、
Ｒ２はシクロペンチル基（シクロアルキル基の１種）であり、
Ｒ３とＲ４はそれぞれ水素原子であり、
Ｚはｎがゼロである−（ＣＨ２）ｎ−であり、
Ｒ５は安息香酸（随意に置換された単環式アリール基の１種）である化合物」に相当し、本願発明１の「選択的ＰＤＥＩＶ阻害活性」と先願発明２の「ホスホジエステラーゼ（ＰＤＥ）ＩＶ型の選択的阻害活性」は、共にホスホジエステラーゼ（ＰＤＥ）ＩＶ型を選択的に阻害する活性を意味するものであるから、本願発明１は先願発明２と同一である。
【先願発明３について】
　本願発明１と先願発明３とを対比すると、先願発明３の「３−｛２−［３−（シクロペンチルオキシ）−４−エトキシフェニル］エチル｝安息香酸メチルである化合物」は、本願発明１の「化学式（１）
　
［この化学式において
ＹはＲ１がエチル基である−ＯＲ１であり、
Ｘは−Ｏ−であり、
Ｒ２はシクロペンチル基（シクロアルキル基の１種）であり、
Ｒ３とＲ４はそれぞれ水素原子であり、
Ｚはｎがゼロである−（ＣＨ２）ｎ−であり、
Ｒ５は安息香酸メチル（随意に置換された単環式アリール基の１種）である化合物」に相当し、本願発明１の「選択的ＰＤＥＩＶ阻害活性」と先願発明３の「ホスホジエステラーゼ（ＰＤＥ）ＩＶ型の選択的阻害活性」は、共にホスホジエステラーゼ（ＰＤＥ）ＩＶ型を選択的に阻害する活性を意味するものであるから、本願発明１は先願発明３と同一である。
【先願発明４について】
　本願発明１と先願発明４とを対比すると、先願発明４の「４−｛２−［３−（シクロペンチルオキシ）−４−メトキシフェニル］エチル｝安息香酸である化合物」は、本願発明１の「化学式（１）
　
［この化学式において
ＹはＲ１がメチル基である−ＯＲ１であり、
Ｘは−Ｏ−であり、
Ｒ２はシクロペンチル基（シクロアルキル基の１種）であり、
Ｒ３とＲ４はそれぞれ水素原子であり、
Ｚはｎがゼロである−（ＣＨ２）ｎ−であり、
Ｒ５は安息香酸（随意に置換された単環式アリール基の１種）である化合物」に相当し、本願発明１の「選択的ＰＤＥＩＶ阻害活性」と先願発明４の「ホスホジエステラーゼ（ＰＤＥ）ＩＶ型の選択的阻害活性」は、共にホスホジエステラーゼ（ＰＤＥ）ＩＶ型を選択的に阻害する活性を意味するものであるから、本願発明１は先願発明４と同一である。
【先願発明５について】
　本願発明１と先願発明５とを対比すると、先願発明５の「４−｛２−［３−（シクロペンチルオキシ）−４−メトキシフェニル］エチル｝安息香酸メチルである化合物」は、本願発明１の「化学式（１）
　
［この化学式において
ＹはＲ１がメチル基である−ＯＲ１であり、
Ｘは−Ｏ−であり、
Ｒ２はシクロペンチル基（シクロアルキル基の１種）であり、
Ｒ３とＲ４はそれぞれ水素原子であり、
Ｚはｎがゼロである−（ＣＨ２）ｎ−であり、
Ｒ５は安息香酸メチル（随意に置換された単環式アリール基の１種）である化合物」に相当し、本願発明１の「選択的ＰＤＥＩＶ阻害活性」と先願発明５の「ホスホジエステラーゼ（ＰＤＥ）ＩＶ型の選択的阻害活性」は、共にホスホジエステラーゼ（ＰＤＥ）ＩＶ型を選択的に阻害する活性を意味するものであるから、本願発明１は先願発明５と同一である。
　
２　本願発明２〜１５及び１７〜１８について
（１）本願発明２〜４について
　本願発明２は、本願発明１において、「Ｙが−ＯＲ１基」であることを、本願発明３は、本願発明２において、「Ｒ１が随意に置換された直鎖状または枝分かれ鎖状のＣ１−３アルキル基」であることを、本願発明４は、本願発明３において、「Ｒ１がメチル基」であることを規定するものである。
　しかしながら、「第５　当審の判断　１（２）」で示したように、先願発明１〜５は、化学式（１）において、ＹがＲ１がメチル基又はエチル基である−ＯＲ１であることから、本願発明２〜３は先願発明１〜５とそれぞれ同一であり、先願発明１、４〜５は、化学式（１）において、Ｙがメチル基である−ＯＲ１であることから、本願発明４は先願発明１、４〜５とそれぞれ同一である。
（２）本願発明５〜６について
　本願発明５は、本願発明１〜４において、「Ｘが−Ｏ−である」ことを、本願発明６は、本願発明１〜５において、「Ｒ２がシクロペンチル基」であることを規定するものである。
　しかしながら、「第５　当審の判断　１（２）」で示したように、先願発明１〜５は、化学式（１）において、Ｘが−Ｏ−であり、Ｒ２がシクロペンチルであるから、本願発明５〜６は先願発明１〜５と、それぞれ同一である。
（３）本願発明７〜８について
　本願発明７は、本願発明１〜６において、「Ｚが−（ＣＨ２）ｎ−基（式中、ｎは０あるいは１または２の整数である）」であることを、本願発明８は、本願発明７において、「ｎがゼロ」であることを規定するものである。
　しかしながら、「第５　当審の判断　１（２）」で示したように、先願発明１〜５は、化学式（１）において、Ｚがゼロである−（ＣＨ２）ｎ−基であるから、本願発明７〜８は先願発明１〜５と、それぞれ同一である。
（４）本願発明９〜１０について
　本願発明９は、本願発明１〜７において、「Ｒ３が水素原子またはメチル基」であることを、本願発明１０は、本願発明９において、「Ｒ３が水素原子」であることを規定するものである。
　しかしながら、「第５　当審の判断　１（２）」で示したように、先願発明１〜５は、化学式（１）において、Ｒ３が水素であるから、本願発明９〜１０は先願発明１〜５と、それぞれ同一である。
（５）本願発明１１〜１２について
　本願発明１１は、本願発明１〜１０において、「Ｒ４が水素原子あるいは随意に置換されたアルキル基または−ＣＮ基」であることを、本願発明１２は、本願発明１１において、「Ｒ４が水素原子または−ＣＮ基」であること規定するものである。
　しかしながら、「第５　当審の判断　１（２）」で示したように、先願発明１〜５は、化学式（１）において、Ｒ４が水素であるから、本願発明１１〜１２は先願発明１〜５と、それぞれ同一である。
（６）本願発明１３〜１５について
　本願発明１３は、本願発明１〜１２において、「Ｒ５が−Ｏ−、−Ｓ−および−Ｎ−原子中から選ばれた１個、２個または３個のヘテロ原子を含有する随意に置換されたＣ６−１２アリール基、または随意に置換されたＣ３−９ヘテロアリール基」であることを、本願発明１４は、本願発明１３において、「Ｒ５が随意に置換されたフェニル基、ピリジル基、ピリミジニル基」であることを、本願発明１５は、本願発明１４において、「Ｒ５がフェニル基、２−または３−一置換フェニル基、あるいは２，６−二置換フェニル基」であることを規定するものである。
　しかしながら、「第５　当審の判断　１（２）」で示したように、先願発明１〜５は、Ｒ５が随意に置換された単環式アリール基、すなわちフェニル基であるから、本願発明１３〜１５は先願発明１〜５と、それぞれ同一である。
（７）本願発明１７について
　本願発明１７は、本願発明１３〜１５において、「Ｒ１１が原子またはＲ１２基または−Ａｌｋ１（Ｒ１２）ｍ基［式中、Ｒ１２はハロゲン原子、またはアミノ基（−ＮＨ２）、置換アミノ基、ニトロ基、シアノ基、ヒドロキシル基（−ＯＨ）、置換されたヒドロキシル基、シクロアルコキシ基、ホルミル基［ＨＣ（Ｏ）−］、カルボキシル基（−ＣＯ２Ｈ）、エステル化カルボキシル基、チオール基（−ＳＨ）、置換されたチオール基、−Ｃ（Ｏ）Ｒ８ａ基、−ＳＯ３Ｈ基、−ＳＯ２Ｒ８ａ基、−Ｎ（ＳＯ２Ｎ（Ｒ８ａ）（Ｒ９ａ）基、−ＣＯＮ（Ｒ８ａ）（Ｒ９ａ）基、−ＮＨＳＯ２Ｒ８ａ基、−Ｎ（ＳＯ２Ｒ８ａ）２基、−ＮＨＳＯ２Ｎ（Ｒ８ａ）（Ｒ９ａ）基、−ＮＨＣ（Ｏ）Ｒ８ａ基、または−ＮＨＣ（Ｏ）ＯＲ８ａ基（式中、Ｒ８ａおよびＲ９ａは各々独立して水素原子ならびに随意に置換されたアルキル、アラルキルまたはアリール基から選択される）であり、Ａｌｋ１は１個、２個または３個の−Ｏ−原子、−Ｓ−原子、−Ｓ（Ｏ）ｐ−基または−Ｎ（Ｒ７）−基（式中、ｐは１または２の整数であり、Ｒ７は水素原子または随意に置換されたアルキル基である）によって随意に中断されたＣ２−６アルキニレン基であり、そしてｍは０または１、２または３の整数である］である場合において、前記アリール基またはヘテロアリール基が１個以上の置換基Ｒ１１によって置換されている」ことを規定するものである。
　しかしながら、先願発明１〜５は、アリール基がカルボキシル基又はメチルエステル基で置換されているものであるから、本願発明１７は先願発明１〜５と、それぞれ同一である。
（８）まとめ
　よって、本願発明２〜３、５〜１５及び１７〜１８と先願発明１〜５、本願発明４と先願発明１、４〜５とはそれぞれ同一である。
　
３　本願発明２０について
　本願発明２０は、本願発明１の化合物を引用して、さらに「１つまたは複数個の薬理学的に許容される担体、賦形剤または希釈剤とからなることを特徴とする、選択的ＰＤＥＩＶ阻害活性を有する医薬組成物」と規定する事項を含むものである。そこで、先願明細書に、先願発明１〜５の化合物と「１つまたは複数個の薬理学的に許容される担体、賦形剤または希釈剤とからなることを特徴とする、選択的ＰＤＥＩＶ阻害活性を有する医薬組成物」の発明が記載されているか否かについてみると、先願明細書の摘記ｂには、化学式（Ｉ）で表される化合物および薬学的に許容される希釈剤または担体から成ることを特徴とする医薬組成物が記載されており、「第５　当審の判断　１（１）」で示したように、先願明細書には、ホスホジエステラーゼ（ＰＤＥ）ＩＶ型の選択的な阻害活性を有する先願発明１〜５の化合物が記載されていると認められる。
　してみると、先願明細書には、
「先願発明１〜５の化合物および薬学的に許容される希釈剤または担体から成ることを特徴とするホスホジエステラーゼ（ＰＤＥ）ＩＶ型の選択的な阻害活性を有する医薬組成物」
の発明（以下、「先願発明６」という。）が記載されていると認められる。
　ここで、本願発明２０と先願発明６とを対比すると、先願発明６の「先願発明１〜５の化合物」は、本願発明２０の「請求の範囲第１〜３、５〜１５及び１７〜１８項のいずれかに記載の化合物」に相当し、先願発明６の「先願発明１、４〜５の化合物」は、本願発明２０の「請求の範囲第４項に記載の化合物」に相当する。また、先願発明６の「薬学的に許容される希釈剤または担体」は、本願発明２０の「薬理学的に許容される担体、または希釈剤」に相当し、先願発明６の「ホスホジエステラーゼ（ＰＤＥ）ＩＶ型の選択的な阻害活性」と本願発明２０の「選択的ＰＤＥＩＶ阻害活性」は共にホスホジエステラーゼ（ＰＤＥ）ＩＶ型を選択的に阻害する活性を意味するものである。
　したがって、本願発明２０は先願発明６と同一である。
　
４　小括
　したがって、本願発明１〜１５、１７〜１８及び２０は、先願明細書の願書に最初に添付した明細書に記載された発明と同一であり、しかも本願発明１〜１５、１７〜１８及び２０の発明者が先願明細書に記載された発明の発明者と同一であるとも、また本願の出願の時において、その出願人が先願の出願人と同一であるとも認められないので、本願発明１〜１５、１７〜１８及び２０は、特許法第２９条の２の規定により特許を受けることができない。
　
第６　むすび
　以上のとおり、本願発明１〜１５、１７〜１８及び２０は、特許法第２９の２項の規定により特許を受けることができないものであるから、この出願は拒絶すべきものである。
　よって、結論のとおり審決する。